(57)【特許請求の範囲】
【請求項１】
所定の弾性を有する収納容器補強用のロッドであって、該ロッドは所定の剛性を有する芯材が内部に保持され、両端が閉じられた弾性を有する内筒と、この内筒の外周に密に摺接する内径を有し一端が閉じられた弾性を有する外筒が所定の空間を有して前記内筒の両端にそれぞれ摺接することにより、前記空間に保持される空気によりロッドが空気ダンパー性を有することを特徴とするロッド。
【請求項２】
上端に開口部を有し、底面および側面が可とう性部材で形成されてなるフレキシブルコンテナであって、少なくとも前記開口部および前記底面の角部に複数の取り付け口を持つロッド取り付け部を有し、該ロッド取り付け部に取り付けらけるロッドが請求項１記載のロッドであることを特徴とするフレキシブルコンテナ。
【発明の詳細な説明】
【０００１】
【発明の属する技術分野】
本発明はフレキシブルバックやコンテナなどのフレキシブル収納容器類を補強するロッドおよびこのロッドを用いたフレキシブルコンテナに関する。
【０００２】
【従来の技術】
塵芥等、産業廃棄物などの移送用や穀類等の貯蔵用にフレキシブルコンテナが多用されている。このフレキシブルコンテナは、上端に開口部を有する織布あるいは網の袋体である。使用時には上端開口部が自立開口でき、不使用時は簡単に折りたためる構造となっているものが多く、自立開口するために補強用のロッドが用いられている。
従来、補強用のロッドは金属やプラスチック製単体からなるロッドがフレキシブルコンテナの上端開口縁部、底面縁部、側面角部等に縫いつけられている。また、ロッドを直接縫いつけると、そのロッドが邪魔になってコンテナのミシン縫いができない不都合を解消するために、上開口稜部と側面稜部とを芯骨が挿入できる芯骨袋体で形成し、芯骨の挿入と抜き出しを可能にする塵芥等の収納ケージが知られている（特開平１０−１０９７０３号公報）。
【０００３】
【発明が解決しようとする課題】
しかしながら、上端開口縁部にロッドが挿入できる芯骨袋体を形成してロッドを挿入したとしても、上端開口縁部の角部においてコンテナが破れるという問題がある。また、弾性を有する芯骨袋体を用いたとしても、その袋体がコンテナに縫いつけられているため、やはり角部で破れやすくなる。その結果、コンテナの寿命が短くなるという問題がある。
さらに、あらかじめ芯骨袋体が縫いつけられているため、後発的に補強したい場所にロッドを取り付けることができず、内容物の種類や大きさに応じてフレキシブルコンテナの補強ができないという問題がある。
【０００４】
本発明は、このような問題に対処するためになされたもので、フレキシブルコンテナなどの収納容器に容易に取り付けられ、優れた強度を有する補強用ロッド、およびこのロッドを用いたフレキシブルコンテナを提供することを目的とする。
【０００５】
【課題を解決するための手段】
本発明のロッドは、所定の弾性を有する収納容器補強用のロッドであって、該ロッドは所定の剛性を有する芯材が内部に保持され、両端が閉じられた弾性を有する内筒と、この内筒の外周に密に摺接する内径を有し一端が閉じられた弾性を有する外筒が所定の空間を有して上記内筒の両端にそれぞれ摺接することを特徴とする。
【０００６】
本発明のフレキシブルコンテナは、上端に開口部を有し、底面および側面が可とう性部材で形成されてなり、少なくとも上記開口部および底面の角部に複数の取り付け口を持つロッド取り付け部を有し、該ロッド取り付け部に取り付けらけるロッドが上記ロッドであることを特徴とする。
【０００７】
フレキシブルコンテナの角部が破れやすくなり、コンテナの寿命が短くなる原因について調査したところ、ロッドあるいは芯骨袋体がコンテナに縫いつけられているためにロッドの端部に力が集中するためであることが分かった。特に、荷物が収納されたコンテナを移動させるときなどに擦れて最も力が加わる角部は、ロッドが突き合わされるために力がより集中していた。
本発明はこのような知見によりなされたもので、ロッド自身を所定の剛性および弾性を有するロッドとし、またフレキシブルコンテナの角部にロッド取り付け部を設けて、ここにロッドの先端を挿入することにした。その結果、ロッドが突き合わされたとしても、ロッド取り付け部が補強材としての役割を果たすので、角部が破れなくなる。また、内容物の種類や大きさが相違するフレキシブルコンテナであってもロッド取り付け部を設ければよいので容易に補強ができる。
【０００８】
【発明の実施の形態】
本発明に係るロッドを図１により説明する。図１はロッドの断面図である。
ロッド１は、芯材４が内部に保持されている弾性を有する内筒２と、この内筒２の両端に嵌められている弾性を有する外筒３、３とから構成されている。
弾性を有する内筒２は両端が閉じられており、所定の剛性を有する芯材４が内部に保持されている。芯材４はロッドをフレキシブルコンテナの縁部に取り付けて使用した場合、フレキシブルコンテナが自立できる程度の剛性を有していればよい。このような芯材としては金属棒、プラスチック棒、グラスファイバー棒などが挙げられる。また、芯材４は内筒２の内周面を摺接して移動できる程度の外径を有し、その長さは内筒２に納まり、外筒３、３が嵌められている両端部に達する長さとすることが好ましい。芯材４と内筒２と外筒３とが相互に重なり部を有することによりロッド取り付け後の強度が向上する。また、弾性を有する内筒２の両端部２ａを密閉することにより、ロッド１が圧縮されたとき、および後述する外筒との間での空気ダンパー性が向上する。
【０００９】
弾性を有する内筒２の両端部２ａ、２ａに弾性を有する外筒３、３をそれぞれ嵌める。外筒３は、内筒２の外周に密に摺接する内径を有する。この密に摺接する程度は、外筒３の内周面と内筒２の外周面との摩擦抵抗により、大人が外筒３、３を両手で持って力を加えて引っ張ったときに抜けない程度である。また、外筒３と内筒２との摺接面に接着力の弱い接着剤またはコーキング剤で一時的に固定できるものを塗布することが好ましい。これらを塗布することで、外筒３と内筒２とで形成される空間５に空気が保持されてより逃げ難くなり空気ダンパーとしての性能が向上する。なお、接着剤またはコーキング剤で一時的に固定できるものを塗布した場合であっても、密に摺接する程度は、上記のように大人が力を加えて引っ張ったときに抜けなく、かつ十分に力を加えると抜ける程度とする。密に摺接する程度をこのように設定することによりロッドが空気ダンパー性を有する。この空気ダンパー性に基づく弾性と芯材４の剛性とにより、本発明のロッドは、フレキシブルコンテナの補強材として優れるとともに、このロッドを用いたフレキシブルコンテナの角部が破れ難くなる。
【００１０】
空気ダンパー性は、両端部２ａが密閉され内部に芯材４が保持された、弾性を有する内筒２に空間５ａを形成することによっても得られる。すなわち、ロッド１が圧縮されたとき、弾性を有する内筒２も両端部が圧縮される結果、空間５ａが圧縮されて空気ダンパー性が付与される。
【００１１】
外筒３と内筒２とで形成される空間５、５、および内筒２内に形成される空間５ａ、５ａは、上記空気ダンパー性を持たせるために十分な空気量を確保できる空間であればよい。
また、空間５内での空気は外筒３と内筒２とがともに弾性を有するであることにより、外筒３と内筒２とをともにわん曲したときでも相互に追随性がでるので、空気ダンパー性を維持できる。また、内筒２は弾性を有して、両端部が密閉されているので、空気ダンパー性を維持できる。
【００１２】
弾性を有する材料としては、可とう性のある材料であれば使用することができ、例えば、プラスチック類およびゴム類が挙げられる。プラスチック類としては、ポリエチレン、ポリプロピレンなどの炭化水素系ポリオレフィン樹脂、塩化ビニル樹脂などが挙げられる。炭化水素系ポリオレフィン樹脂は燃焼時にハロゲン系ガスを出さないので好ましく、また塩化ビニル樹脂は可塑剤入りとすることにより優れた弾力性を有するパイプが得られるので好ましい。ゴム類としてはウレタン系ゴムなどが挙げられる。また、外筒３または内筒２に成形する場合、網入りのパイプとすることにより強度が優れるので好ましい。
また、外筒３と内筒２との摺接面に塗布する接着剤またはコーキング剤で一時的に固定できるものとしては、シリコーン系の接着剤やコーキング剤が上記弾性を有する材料、例えば塩化ビニルパイプとの摺接および接着性に優れるため好ましい。
【００１３】
本発明のフレキシブルコンテナの一例を図２に示す。図２はフレキシブルコンテナの斜視図である。
フレキシブルコンテナ６は、底面７および側面８が、布や網などの可とう性部材で形成され、上端は開口部９ａとなっている。フレキシブルコンテナ６の八個の角部９毎にロッド取り付け部１０がそれぞれ縫いつけられている。ロッド取り付け部１０は、各角部の頂点から各縁部の方向にロッド取り付け口１１を有して縫いつけられている。このロッド取り付け口１１にロッド１を挿入して組み立てることにより、フレキシブルコンテナ６が上端に開口部９ａを有して自立して箱型となる。ロッド１を取り外せば容易に折り畳める。
ロッド取り付け部１０は、布や網などの可とう性部材で形成するか、あるいはプラスチック成形体を各角部に固定する。フレキシブルコンテナを縫製するときに同時に、あるいは必要に応じて後日ミシン縫いで取り付けできる布材が特に好ましい。
【００１４】
ロッド取り付け部１０は、上記箱型のフレキシブルコンテナの上端角部９ｂの場合、少なくともロッド取り付け口１１を三つ有する三つ又取り付け口であることが好ましく、筋交いロッドをつける場合は、四つ又ないし六つ又とすることができる。
なお、ロッド取り付け部１０は、角部だけでなく縁部に取り付けることができる。
ロッド取り付け口１１に挿入して取り付けられるロッド１の長さは、開口部９ａの長さより僅かに長くする。僅かに長くすることにより、ロッド取り付け口１１にロッド１を挿入したとき、空気ダンパーの作用により、挿入方向に付勢力を有してロッド１が固定される。
【００１５】
ロッド取り付け部１０を各角部９に取り付けることにより角部９が補強され、フレキシブルコンテナ６を引き摺って移動させる場合であっても角部９が破れることがない。また、ロッド１は空気ダンパーの作用により各角部９に取り付けられた取り付け部１０を突き破ることがない。
さらに、ロッド取り付け部１０は、フレキシブルコンテナに縫いつけることができるので、既存のフレキシブルコンテナを容易に改良できる。
【００１６】
フレキシブルコンテナ本体を形成する布または網などの可とう性部材は、ポリプロピレン、ポリアミド、ポリエステル繊維等の合成繊維を用いた織製品、ジュートや綿繊維等の天然繊維を用いた織製品であってもよく、またシート状、網状であってもよい。
本発明のフレキシブルコンテナは、塵芥等、産業廃棄物等の保管や移送用、土砂運搬などの土木建築用、その他穀類等の貯蔵用など食品分野、化学工業分野、漁業分野等のフレキシブルコンテナとして利用できる。
【００１７】
【発明の効果】
本発明のロッドは、所定の剛性を有する芯材が内部に保持され、両端が閉じられた弾性を有する内筒と、この内筒の外周に密に摺接する内径を有し一端が閉じられた弾性を有する外筒が所定の空間を有して前記内筒の両端にそれぞれ摺接するので、ロッドの両端で空気ダンパーが形成される。その結果、芯材の剛性と空気ダンパーの弾性により、フレキシブルコンテナなどの支持補強材として優れた強度を有している。
【００１８】
本発明のフレキシブルコンテナは、上端に開口部を有し、底面および側面が可とう性部材で形成されてなり、少なくとも上記開口部および底面の角部に複数の取り付け口を持つロッド取り付け部を有し、該ロッド取り付け部に上記ロッドを取り付けているので、ロッドを取り付けたとしても角部が補強されているので破れることがない。また、ロッドが剛性と弾性とを兼ね備えているので、強度と耐久性に優れたフレキシブルコンテナが得られる。
【図面の簡単な説明】
【図１】ロッドの断面図である。
【図２】フレキシブルコンテナの斜視図である。
【符号の説明】
１  ロッド
２  内筒
３  外筒
４  芯材
５  空間
６  フレキシブルコンテナ
７  底面
８  側面
９  角部
１０  ロッド取り付け部
１１  ロッド取り付け口
【図１】
0004249877.tif 000002
【図２】
0004249877.tif 000003